(57)【要約】【課題】各医用画像の表示サイズを最大限に確保し、付帯情報を各医用画像との関係において明確にしつつ集約して表示し得る医用画像表示装置及び医用画像出力装置を提供すること。【解決手段】一の画面を構成する複数のフレーム内に複数の医用画像を同時に表示する際、前記複数の医用画像に共通して付帯する付帯情報を特定領域に集約して表示する医用画像表示装置４０であって、前記複数の医用画像に共通して付帯する付帯情報の内容ごとに前記複数のフレームを一又は複数のグループにグループ分けし、当該一又は複数のグループの何れか一のフレーム内に、前記グループ内の複数の医用画像に共通して付帯する付帯情報を集約して表示する表示制御部４１を備えた医用画像表示装置４０とする。【選択図】図６
2010125022.tif 000002
【特許請求の範囲】
【請求項１】
一の画面を構成する複数のフレーム内に複数の医用画像を同時に表示する際、前記複数の医用画像に共通して付帯する付帯情報を特定領域に集約して表示する医用画像表示装置であって、
前記複数の医用画像に共通して付帯する付帯情報の内容ごとに前記複数のフレームを一又は複数のグループにグループ分けし、当該一又は複数のグループ内の何れか一のフレーム内に、当該グループ内の各医用画像に共通して付帯する付帯情報を集約して表示する表示制御部を備えた医用画像表示装置。
【請求項２】
前記表示制御部は、前記グループ内の各医用画像に共通して付帯する付帯情報を強調して表示する請求項１に記載の医用画像表示装置。
【請求項３】
前記複数の医用画像のうち何れか一の医用画像を選択するための入力部を更に備え、
前記表示制御部は、前記入力部により選択された一の医用画像を囲むフレーム又は当該フレームを囲むグループ枠を強調して表示する請求項１又は２に記載の医用画像表示装置。
【請求項４】
前記グループ内の各医用画像に共通して付帯する付帯情報は、患者情報又は検査情報を含み、
前記患者情報は、患者名を含み、
前記検査情報は、検査日を含む請求項１〜３の何れか一項に記載の医用画像表示装置。
【請求項５】
一のフィルムを構成する複数のフレーム内に複数の医用画像を同時にフィルム出力する際、前記複数の医用画像に共通して付帯する付帯情報を特定領域に集約してフィルム出力する医用画像出力装置であって、
前記複数の医用画像に共通して付帯する付帯情報の内容ごとに前記複数のフレームを一又は複数のグループにグループ分けし、当該一又は複数のグループ内の何れか一のフレーム内に、当該グループ内の各医用画像に共通して付帯する付帯情報を集約してフィルム出力する出力制御部を備えた医用画像出力装置。
【請求項６】
前記出力制御部は、前記グループ内の各医用画像に共通して付帯する付帯情報を強調してフィルム出力する請求項５に記載の医用画像出力装置。
【請求項７】
前記複数の医用画像のうち何れか一の医用画像を選択するための入力部を更に備え、
前記出力制御部は、前記入力部により選択された一の医用画像を囲むフレーム又は当該フレームを囲むグループ枠を強調してフィルム出力する請求項５又は６に記載の医用画像出力装置。
【請求項８】
前記複数の医用画像に共通して付帯する付帯情報は、患者情報又は検査情報を含み、
前記患者情報は、患者名を含み、
前記検査情報は、検査日を含む請求項５〜７の何れか一項に記載の医用画像出力装置。
【発明の詳細な説明】
【技術分野】
【０００１】
本発明は、医用画像表示装置及び医用画像出力装置に関する。
【背景技術】
【０００２】
医療現場では、ＣＴ（Computed Tomography）装置やＭＲＩ（Magnetic Resonance Imaging）装置等により複数の医用画像が生成され、生成された複数の医用画像は読影等に供される。
読影に際して、複数の医用画像はビューアの表示画面上に表示されたり、或いは、フィルム出力されてフィルム上に表示されたりする。何れの読影スタイルにしても、複数の医用画像を互いに比較するため１画面上又は１フィルム上に同時に表示される場合がある。
【０００３】
１画面上又は１フィルム上に同時に表示される場合、表示領域を構成する複数のフレーム内に医用画像及び医用画像に付帯する付帯情報が表示される。ここでいうフレームとは一つの医用画像及びその付帯情報を表示するための領域を意味し、フレーム内(外)とは一つの医用画像及びその付帯情報を表示するための領域上に含まれるか（否か）を指す。
複数のフレーム内の全てに付帯情報が表示されると、一覧性及び視認性が悪くなり読影し難くなる。
【０００４】
特許文献１によれば、付帯情報を固有情報と共通情報とに判別し、固有情報は全てのフレーム内に表示し、共通情報はフレーム外の特定領域（余白部分）に集約して表示する技術が開示されている（特許文献１参照）。
【特許文献１】特開昭６１−２７２７３１号公報
【発明の開示】
【発明が解決しようとする課題】
【０００５】
しかし、特許文献１の技術では、１画面上又は１フィルム上の限られた表示領域に余白部分を設けるため、その分だけ各フレームのサイズが小さくなり、表示される医用画像のサイズも小さくなる。
【０００６】
また、同時に表示される医用画像の全てに共通せず、一部の医用画像についてのみ共通して付帯する付帯情報を固有情報とするか共通情報とするかの判別は困難である。つまり、固有情報として判別すると、全てのフレーム内で表示されるため一覧性及び視認性が改善されず問題となる。また、共通情報として判別すると、余白部分に集約して表示された共通情報がどの医用画像に対応しているのかが不明確となる。
【０００７】
図９Ａ及び図９Ｂに、１患者につき３検査の複数の医用画像を同時に表示した従来の表示画面の一例を示す。
図９Ａ及び図９Ｂの何れの表示画面であっても、余白部分が設けられることにより各フレームのサイズは小さくなり、表示される医用画像のサイズも小さくなる。
【０００８】
また、図９Ａの表示画面では、付帯情報のうちの患者名のみが共通情報として判別され、余白部分に集約して表示される。一部の医用画像に共通する付帯情報（検査日）は固有情報として判別され、全てのフレーム内で表示されるため一覧性及び視認性が悪くなる。
【０００９】
また、図９Ｂの表示画面では、付帯情報のうちの患者名及び検査日が共通情報として判別され、余白部分に集約して表示される。一覧性及び視認性は良いが、検査日がどの医用画像に対応しているのかが不明確となる。
【００１０】
本発明の課題は、各医用画像の表示サイズを最大限に確保し、付帯情報を各医用画像との関係において明確にしつつ集約して表示し得る医用画像表示装置及び医用画像出力装置を提供することにある。
【課題を解決するための手段】
【００１１】
本発明によれば、一の画面を構成する複数のフレーム内に複数の医用画像を同時に表示する際、前記複数の医用画像に共通して付帯する付帯情報を特定領域に集約して表示する医用画像表示装置であって、
前記複数の医用画像に共通して付帯する付帯情報の内容ごとに前記複数のフレームを一又は複数のグループにグループ分けし、当該一又は複数のグループ内の何れか一のフレーム内に、当該グループ内の各医用画像に共通して付帯する付帯情報を集約して表示する表示制御部を備えた医用画像表示装置が提供される。
【００１２】
また、本発明によれば、一のフィルムを構成する複数のフレーム内に複数の医用画像を同時にフィルム出力する際、前記複数の医用画像に共通して付帯する付帯情報を特定領域に集約してフィルム出力する医用画像出力装置であって、
前記複数の医用画像に共通して付帯する付帯情報の内容ごとに前記複数のフレームを一又は複数のグループにグループ分けし、当該一又は複数のグループ内の何れか一のフレーム内に、当該グループ内の各医用画像に共通して付帯する付帯情報を集約してフィルム出力する出力制御部を備えた医用画像出力装置が提供される。
【発明の効果】
【００１３】
本発明によれば、各医用画像の表示サイズを縮小することなく最大限に確保しつつ、各医用画像に共通して付帯する付帯情報を集約して表示することができる。また、各医用画像との対応関係を明確にして、集約した付帯情報を表示することができる。よって、一覧性及び視認性を確保することができ、読影の効率化を図ることができる。さらに、1画面上に表示する医用画像の付帯情報は、位置の固定されたフレームによって決定するため、医用画像をスクロールで切り替えても、各医用画像に固有する情報のみが切り替わり、共通情報は常に同じ位置に表示される。即ち、医用画像の切り替えにおける付帯情報の遷移が最小限に抑えられることにより、読影の効率化を図ることができる。これは、医用画像をスクロールする頻度の高いマルチスライス画像読影の場合、特に効果を発揮する。
【発明を実施するための最良の形態】
【００１４】
図１に、本実施形態における画像表示システム１００を示す。
画像表示システム１００は、ＲＩＳ１０、モダリティ２０、ＰＡＣＳ３０、医用画像表示装置４０、医用画像出力装置５０等を備えて構成される。各装置はネットワークケーブル６０で接続されており、ＤＩＣＯＭ（Digital Imaging and COmmunication in Medicine）により医用画像等のデータのやりとりを行う。
【００１５】
ＲＩＳ１０は、「Radiology Information System」の略であり、放射線科内の情報を管理する放射線科情報システムである。ＲＩＳ１０は、オペレータによるオーダ情報の入力を受け付けてオーダ情報を登録する。オーダ情報には、主として患者情報、検査情報及び画像情報等が含まれ、具体的には患者名、検査日、画像番号が含まれる。
ＲＩＳ１０は、オーダ情報として登録した患者名、検査日、画像番号等をモダリティ２０に送信する。
【００１６】
モダリティ２０は、デジタルの医用画像を生成する撮影装置であって、具体的にはＣＴ（Computed Tomography）装置、ＭＲＩ（Magnetic Resonance Imaging）装置、ＣＲ（Computed Radiography）装置等である。
モダリティ２０は、生成した医用画像にオーダ情報の一部を付帯させて、医用画像及びオーダ情報の一部の情報（付帯情報）をＰＡＣＳ３０に送信する。付帯情報には、患者名、検査日、画像番号が含まれる。
【００１７】
ＰＡＣＳ（Picture Archiving and Communication System for medical application）３０は、図示しないデータベースを有しており、医用画像及び付帯情報をデータベースにより保管する。
【００１８】
医用画像表示装置４０は、モダリティ２０又はＰＡＣＳ３０からの医用画像及び付帯情報を受信し、医用画像及び付帯情報を閲覧や読影に適正な態様により表示する。
【００１９】
図２に、医用画像表示装置４０の内部構成を示す。
医用画像表示装置４０は、表示制御部４１、入力部４２、表示部４３、通信部４４、記憶部４５等を備えて構成されており、各部はバス４６により接続されている。
【００２０】
表示制御部４１は、図示しないＣＰＵ（Central Processing Unit）、ＲＡＭ（Random Access Memory）等を備えて構成される。表示制御部４１は、記憶部４５に記憶されている各種プログラムとの協働により、表示部４３の表示画面上に複数の医用画像を表示する処理等を行う。
【００２１】
入力部４２は、カーソルキー、数字入力キー、及び各種機能キー等を備えたキーボードと、マウス等のポインティングデバイスを備えて構成される。入力部４２は、キーボードで押下操作されたキーの押下信号とマウスによる操作信号とを入力信号として表示制御部４１に出力する。
【００２２】
表示部４３は、例えば、ＣＲＴ（Cathode Ray Tube）やＬＣＤ（Liquid Crystal Display）等のモニタを備えて構成され、表示制御部４１から入力される表示信号の指示に従って、各種画面を表示する。
【００２３】
通信部４４は、ネットワークインターフェース等により構成され、ネットワークケーブル６０に接続された各装置との間でデータの送受信を行う。
【００２４】
記憶部４５は、ＨＤＤ（Hard Disc Drive）や半導体の不揮発性メモリ等により構成される。記憶部４５は、表示制御部４１により実行されるシステムプログラムを始めとする各種プログラムを記憶し、各種プログラムにより処理されたデータ等を記憶する。
【００２５】
図１に戻り、医用画像出力装置５０は、モダリティ２０又はＰＡＣＳ３０からの医用画像及び付帯情報を受信し、医用画像及び付帯情報を閲覧や読影に適正な態様によりフィルム出力する。
【００２６】
図３に、医用画像出力装置５０の内部構成示す。
医用画像出力装置５０は、出力制御部５１、入力部５２、フィルム出力部５３、通信部５４、記憶部５５等を備えて構成されており、各部はバス５６により接続されている。
【００２７】
出力制御部５１は、図示しないＣＰＵ（Central Processing Unit）、ＲＡＭ（Random Access Memory）等を備えて構成される。出力制御部５１は、記憶部５５に記憶されている各種プログラムとの協働により、フィルム上に複数の医用画像を出力する処理等を行う。
【００２８】
入力部５２は、入力部４２と同様の構成であり、キーボードによる押下信号又はマウスによる操作信号を入力信号として出力制御部５１に出力する。
【００２９】
フィルム出力部５３は、図示しないフィルム収容部、搬送部、露光部、現像部、排出部等を備えて構成され、医用画像又は付帯情報をフィルム上に出力して形成する。
【００３０】
通信部５４は、通信部４４と同様の構成であり、ネットワークケーブル６０に接続された各装置との間でデータの送受信を行う。
【００３１】
記憶部５５は、記憶部４５と同様の構成であり、各種プログラム及び各種プログラムにより処理されたデータ等を記憶する。また、記憶部５５は画像メモリを備え、出力対象の医用画像及び付帯情報を記憶する。
【００３２】
図４を参照して、医用画像表示装置４０による１画面表示処理について説明する。
表示制御部４１は、入力部４２を介して、複数の医用画像を１画面上に表示する指示があるか否か判断する（ステップＳ１）。
【００３３】
１画面上に表示する指示がない場合（ステップＳ１；Ｎ）、表示制御部４１は、表示する指示があるまで待機する。
１画面上に表示する指示があった場合（ステップＳ１；Ｙ）、表示制御部４１は、複数のフレームにより表示画面を構成する（ステップＳ２）。
【００３４】
表示制御部４１は、表示画面を構成する複数のフレームについて、患者情報ごと及び/又は検査情報ごとにグループ化する（ステップＳ３）。
【００３５】
図５に、グループの概念図を示す。
グループＧ１は、１患者の複数の医用画像を表示する複数のフレームについて、患者情報でグループ化したグループの概念図である。ここでいう患者情報とは、具体的には患者名である。
１患者であるため、複数の医用画像の患者名は全て共通であり、複数のフレームは１つのグループ（グループＧ１）にグループ化される。
【００３６】
グループＧ２１、Ｇ２２は、２患者の複数の医用画像を表示する複数のフレームについて、患者情報ごとにグループ化したグループの概念図である。
２患者であるため、複数の医用画像に患者名は２種類あり、複数のフレームは２つのグループ（グループＧ２１とグループＧ２２）にグループ化される。
【００３７】
グループＧ３は、１検査の複数の医用画像を表示する複数のフレームについて、検査情報でグループ化したグループの概念図である。ここでいう検査情報は、具体的には検査日であるが、これは一例であり、検査シリーズとして、シリーズ情報を含み得る。
１検査であるため、複数の医用画像の検査日は全て共通であり、複数のフレームは１つのグループ（グループＧ３）にグループ化される。
【００３８】
グループＧ４１〜Ｇ４３は、３検査の複数の医用画像を表示する複数のフレームについて、検査情報ごとにグループ化したグループの概念図である。
３検査であるため、複数の医用画像に検査日は３種類あり、複数のフレームは３つのグループ（グループＧ４１〜Ｇ４３）にグループ化される。
【００３９】
図４に戻り、表示制御部４１は、各フレームについて、表示対象とする付帯情報を決定する（ステップＳ４）。
表示対象とする付帯情報には、例えば患者名、検査日、画像番号があり、表示制御部４１は各フレームにつき、患者名、検査日、画像番号の何れか又は全てについて表示対象とするか否かを決定する。
【００４０】
ここで、表示制御部４１は、同一グループの何れか一のフレーム内にのみ、患者情報又は検査情報を表示対象として決定する。つまり、患者情報ごとにグループ化した一又は複数のグループ内の複数のフレームについては、そのうち何れか一のフレーム内にのみ、患者名を表示対象として決定する。検査情報ごとにグループ化した一又は複数のグループの複数のフレームについても同様に、何れか一のフレーム内にのみ、検査日を表示対象として決定する。
【００４１】
図６に、同一グループの何れか一のフレーム内にのみ、患者名又は検査日を表示対象として決定した表示画面の概念図を示す。
表示画面Ｄ１４は、１患者３検査の複数の医用画像を１画面上に表示した表示画面の概念図である。表示画面Ｄ１４では、グループＧ１のフレームＦ１内にのみ、患者名が表示対象として決定されて表示される。また、表示画面Ｄ１４では、グループＧ４のフレームＦ４１〜Ｆ４３内にのみ、検査日が表示対象として決定されて表示される。
【００４２】
また、表示画面Ｄ２６は、２患者３検査の複数の医用画像を１画面上に表示した表示画面の概念図である。表示画面Ｄ２６では、グループＧ２のフレームＦ２１、Ｆ２２内にのみ、患者名が表示対象として決定されて表示される。また、表示画面Ｄ２６では、グループＧ６のフレームＦ６１〜Ｆ６６内にのみ、検査日が表示対象として決定されて表示される。
【００４３】
図４に戻り、表示制御部４１は、各フレーム内に医用画像を表示するとともに（ステップＳ５）、ステップ４で表示対象として決定した患者名、検査日又は画像番号を表示する（ステップＳ６）。
【００４４】
図７に、表示画面の一例を示す。
表示画面Ｄ１は、１患者３検査の複数の医用画像を１画面上に表示した表示画面である。各フレーム内には、医用画像が表示される。また、フレームＦ１内にのみ患者名が表示され、フレームＦ４１〜Ｆ４３（フレームＦ４３はフレームＦ１と同一フレーム）内にのみ検査日が表示される。
【００４５】
表示画面Ｄ２は、表示画面Ｄ１において入力部４２により一の医用画像が選択された場合の表示画面である。選択された医用画像を囲むフレームは、色が付されることにより強調して表示される。また、選択されたフレームを囲むグループＧ４２の枠線は、色が付されることにより強調して表示される。選択されたフレームやグループ枠は、色の他に、太くしたり点滅表示したりして強調して表示されるとしてもよい。
【００４６】
図４に戻り、表示制御部４１は、入力部４２を介して、医用画像をスクロールする指示があるか否か判断する（ステップＳ７）。
スクロールする指示があった場合（ステップＳ７；Ｙ）、表示制御部４１は、ステップＳ５に移行して、各フレーム内に別の医用画像を表示する。
スクロールする指示がない場合（ステップＳ７；Ｎ）、表示制御部４１は、画面構成又は画面を構成するフレーム数を変更する指示があるか否か判断する（ステップＳ８）。
【００４７】
画面構成又はフレーム数を変更する指示があった場合（ステップＳ８；Ｙ）、表示制御部４１は、ステップＳ３に移行して、画面構成又はフレーム数を変更した後の各フレームについて患者情報ごと及び/又は検査情報ごとで再度グループ化する。
画面構成又はフレーム数を変更する指示がない場合（ステップＳ８；Ｎ）、表示制御部４１は、閲覧又は読影の終了指示があるか否か判断する（ステップＳ９）。
【００４８】
終了指示がない場合（ステップＳ９；Ｎ）、表示制御部４１は、入力部４２を介して何らかの指示があるまで待機する。
終了指示があった場合（ステップＳ９；Ｙ）、表示制御部４１は、１画面表示処理を終了する。
【００４９】
次に、図８を参照して、医用画像出力装置５０による１フィルム出力処理について説明する。
出力制御部５１は、入力部５２を介して、複数の医用画像を１フィルム上にフィルム出力する指示があるか否か判断する（ステップＳ２１）。
【００５０】
フィルム出力する指示がない場合（ステップＳ２１；Ｎ）、出力制御部５１は、出力する指示があるまで待機する。
フィルム出力する指示があった場合（ステップＳ２１；Ｙ）、出力制御部５１は、複数のフレームによりフィルム上を構成する（ステップＳ２２）。
【００５１】
出力制御部５１は、フィルム上を構成する複数のフレームについて、患者情報ごと又は検査情報ごとにグループ化する（ステップＳ２３）。
グループ化された一又は複数のグループは、図５のグループＧ１等と同様である。
【００５２】
出力制御部５１は、各フレームについて、出力対象とする付帯情報を決定する（ステップＳ２４）。
出力対象とする付帯情報には、例えば患者名、検査日、画像番号があり、出力制御部５１は各フレームにつき、患者名、検査日、画像番号の何れか又は全てについてフィルム出力するか否かを決定する。
【００５３】
ここで、出力制御部５１は、同一グループの何れか一のフレーム内にのみ、患者情報又は検査情報を出力対象として決定する。つまり、患者情報ごとにグループ化した一又は複数のグループ内の複数のフレームについては、そのうち何れか一のフレーム内にのみ、患者名を出力対象として決定する。検査情報ごとにグループ化した一又は複数のグループの複数のフレームについても同様に、何れか一のフレーム内にのみ、検査日を出力対象として決定する。
同一グループの何れか一のフレーム内にのみ、患者名又は検査日を出力対象として決定した表示画面の概念図は、図６と同様であるためここでの説明は省略する。
【００５４】
出力制御部５１は、各フレーム内に医用画像をフィルム出力するとともに（ステップＳ２５）、出力対象とした付帯情報をフィルム出力する（ステップＳ２６）。
複数の医用画像を１フィルム上にフィルム出力したフィルム表示例は、図７と同様であるためここでの説明は省略する。
【００５５】
以上のように、本実施形態によれば、各医用画像の画面表示サイズ又は出力表示サイズを最大限に確保し、各医用画像との対応関係を明確にしつつ付帯情報を集約して表示することができる。よって、一覧性及び視認性を確保することができ、読影の効率化を図ることができる。
【００５６】
また、集約した付帯情報を強調して画面表示又はフィルム表示することができる。
【００５７】
また、入力部４２により選択された一の医用画像を囲むフレームや、フレームを囲むグループ枠を強調して画面表示又はフィルム表示することができる。
【００５８】
また、付帯情報には患者情報又は検査情報を含ませ、患者情報には患者名、検査情報には検査日を含ませることができる。
【図面の簡単な説明】
【００５９】
【図１】画像表示システムの全体構成を示す図である。
【図２】医用画像表示装置の機能ブロック図である。
【図３】医用画像出力装置の機能ブロック図である。
【図４】医用画像表示装置による１画面表示処理を示すフロー図である。
【図５】グループを示す概念図である。
【図６】表示画面の概念図である。
【図７】表示画面の一例を示す図である。
【図８】医用画像出力装置による１フィルム出力処理を示すフロー図である。
【図９Ａ】従来の表示画面の一例を示す図である。
【図９Ｂ】従来の表示画面の一例を示す図である。
【符号の説明】
【００６０】
１００  画像表示システム
１０    ＲＩＳ
２０    モダリティ
３０    ＰＡＣＳ
４０    医用画像表示装置
４１    表示制御部
４２    入力部
４３    表示部
５０    医用画像出力装置
５１    出力制御部
５２    入力部
５３    フィルム出力部
【図１】
2010125022.tif 000003
【図２】
2010125022.tif 000004
【図３】
2010125022.tif 000005
【図４】
2010125022.tif 000006
【図５】
2010125022.tif 000007
【図６】
2010125022.tif 000008
【図７】
2010125022.tif 000009
【図８】
2010125022.tif 000010
【図９Ａ】
2010125022.tif 000011
【図９Ｂ】
2010125022.tif 000012